(57)【要約】【課題】  この発明は、冷却器を水槽へ掛止し、又は水槽と一体化して水を循環冷却し、この循環水によりびん、缶などを冷却することを目的としたものである。【解決手段】  この発明は、冷却すべき物品が収容できる水槽と、該水槽内の水を循環冷却できる冷却器とを組み合せたことを特徴とする冷水による物品冷却装置により、目的を達成した。【選択図】              図２
2006349264.tif 000002
【特許請求の範囲】
【請求項１】
槽内の水を循環冷却させるようにした水槽内へ、びん又は缶のような冷却すべき物品を投入浸漬して冷却することを特徴とした冷水による物品の冷却方法。
【請求項２】
冷却すべき物品が収容できる水槽と、該水槽内の水を循環冷却できる冷却器とを組み合せたことを特徴とする冷水による物品冷却装置。
【請求項３】
水槽と、冷却器とは一体的構造又は着脱自在に組み合せたことを特徴とする請求項２記載の冷水による物品冷却装置。
【請求項４】
水槽の一側壁へ冷却器の一部を掛けて両者を着脱自在としたことを特徴とする請求項２記載の冷水による物品冷却装置。
【発明の詳細な説明】
【技術分野】
【０００１】
この発明は、主として夏の暑い日に、びん又は缶入りジュースなどを飲み頃の温度に冷却することを目的とした冷水による物品の冷却方法及び冷却装置に関する。
【背景技術】
【０００２】
従来夏季のイベント会場又は海水浴場などで、びん入り、缶入り飲料を冷却するには、水槽に水を入れ、この水の中へ氷を入れ、この氷で水を冷却して、その冷却水の中へ前記びん又は缶をそのまま投入し、多量のびん又は缶を一度に短時間で冷却することが一般的に行われている。
【特許文献１】実用新案登録第３０３４７６３号公報
【特許文献２】特開２０００−９３７５号公報
【発明の開示】
【発明が解決しようとする課題】
【０００３】
前記氷利用については、効率は良かったけれども、氷を作って持ち込まなければならず、氷は溶けて水になるので、次々に氷を補充しなければならない問題点があった。
【０００４】
前記のように、夏季の暑い日には、多量の氷を必要とするので、製氷会社から氷を仕入れ、これを冷蔵庫に入れ、又は断熱保管庫に入れて保管し、必要の都度、必要量の氷を切って、使用場所へ運ぶ必要があるのみならず、温度調節が不確実であった。
【０００５】
即ち必要時に必要な冷却温度にすることが困難であった。
【０００６】
前記のような、液体入りびん又は缶の冷却は、５℃前後（要するに冷却飲料水でよい）でよいが、これを調節することは困難であり、気温を見乍ら冷却温度を決めることもできなかった。
【０００７】
前記特許文献１の考案は、角氷中の飲料缶を回転するようにした回転冷却装置であって、飲料缶を所定の温度に効率よく冷却することができるが、一度に多量の缶を冷却することができない問題点がった。
【０００８】
また前記特許文献２の発明は、氷を供給して冷却構内の水温を０℃〜３℃に保つようにしたもので、氷を介在させる点に熱容量に余裕を生じ、規定温度を保つことができる利点がある。然し乍ら、製氷設備が必要になる問題点があった。
【課題を解決するための手段】
【０００９】
然るにこの発明は、冷却器により、水槽の水を循環冷却することにより、前記従来の問題点を解決したのである。
【００１０】
即ちこの発明は、槽内の水を循環冷却させるようにした水槽内へ、びん又は缶のような冷却すべき物品を投入浸漬して冷却することを特徴とした冷水による物品の冷却方法である。また、冷却すべき物品が収容できる水槽と、該水槽内の水を循環冷却できる冷却器とを組み合せたことを特徴とする冷水による物品冷却装置であり、水槽と、冷却器とは一体的構造又は着脱自在に組み合せたものであり、水槽の一側壁へ冷却器の一部を掛けて両者を着脱自在としたものである。
【００１１】
前記における水槽は、既存の水槽を使用することができると共に、冷却器の容量に余裕を持たせておけば、大小様々の水槽に使用することができる。
【００１２】
例えば、１００リットルの水中へジュース２００ｃｃ入りびん１００本入れたとすれば、２０リットルのジュースを２５℃から５℃前後に冷却すればよいことになる。
【００１３】
即ち２０リットルのジュースを５℃の温度まで低下させるのであるが、水槽の水は１００リットルあるので、５分の１の温度上昇でよいことになる。従って、冷却水を０℃前後に冷却しておき、ここに２５℃のびんを１００本投入して水を循環させると、ジュース温度は急速（例えば２分〜３分）に低下する。この場合に、びんは全体として水槽の冷却水に水没しており、かつ水は低速（例えば、１ｍ／ｓｅｃ）で流動している。従って、２０リットルのジュースの温度を２０℃低下させる熱量は、１００リットルの水温を５℃上昇させる熱量に相当する。
【００１４】
仮に、直径２ｃｍのパイプから、０℃の冷却水が毎秒１ｍの速度で吐水されると、１秒間の水量は、３１４ｃｃとなり、１分間に１８．８リットルとなるので、５〜６分で水槽の水を０℃にすることができる。
【００１５】
前記においては、ジュース２００ｃｃ入りのびん１００本を５〜６分で、２５℃から５℃に冷却できることになる。
【００１６】
前記においては、循環流動中の冷却であるから、水槽の水は自動的に撹拌され、自動的に均一温度になる利点がある。
【００１７】
この発明の液体入り容器の冷却装置は、水槽へ掛止乃至設置する場合と、水槽と一体的に構成する場合とある。
【００１８】
この発明の冷却器は、家庭用電源（１００Ｖ）で十分目的を達成し得るが、電気のない場所で冷却する場合には、バッテリー（１２Ｖ）でも使用できるようにしてあることが望ましい。
【発明の効果】
【００１９】
この発明によれば、液体入りの多数のびん又は缶を短時間に５℃前後に冷却できる効果がある。
【００２０】
また冷却器と水槽とを分離型にした場合には、使用場所を移動するのが容易であり、時と所により水槽の容量を変えることもできる。
【００２１】
水槽の水温を容易にコントロールできると共に、水温は循環により均一化される効果がある。
【発明を実施するための最良の形態】
【００２２】
この発明は、冷却器の器体の一側に、水槽の側壁へ掛止固定する掛止部を設けると共に、前記器体の冷却部と連結する吸水パイプと、吐出パイプを設け、前記冷却済の水を循環させる循環ポンプを介装してこの発明の冷却器及び冷却装置を完成した。
【実施例１】
【００２３】
この発明の実施例を図１に基づいて説明すると、水槽１に冷却器２を組み合せて、水槽内の水を０℃〜５℃に冷却する（自動で温度調節）。一方冷やすべき缶又はびんを水槽１内へ挿入し、浸漬冷却する。水槽１内の水は、減少分を注ぎ足す（手動又は自動）。前記により、２０℃の缶又はびんのジュース等は、１分〜５分（量により変動）で均等に冷却される。外気温にもよるが、海水浴などで、外気温３０℃以上であっても、缶又はびんは２０℃〜２５℃で保管されているので、１分〜５分で１００本（例えば２００ｃｃ缶）の能力を付与しておけば、大勢の需要者が押しかけても、十分対応することができる。使用方法に合わせて容量を定める。
【００２４】
図１（ａ）は、冷却器２と、水槽１の組み合わせタイプであって、水槽１は既存のものを使用することができる。但し、水槽１の水量に合致する冷却器容量を使用することは当然である。
【００２５】
図１（ｂ）は、水槽１に冷却器２を一体的に組み込んだタイプで、専用水槽となる。
【００２６】
前記図１（ｂ）も、既存水槽を加工して、使用可能にすることができる。
【実施例２】
【００２７】
この発明の実施例を図２について説明すると、水槽１の一側壁１ａへ冷却器２の掛止板３を掛止して、冷却器２を固定する。
【００２８】
前記冷却器２には、冷却部５と、熱交換部４を有し、前記冷却部５には冷媒を蒸発・凝縮させる公知の冷却サイクルが内蔵されている（図示してない）。
【００２９】
前記熱交換部４は、冷却部５に近接して熱交換パイプ６を敷設してあり、熱交換パイプ６に循環ポンプ７を介装すると共に、吸水パイプ８と、吐出パイプ９を連設している。図中１２は温度調整摘み、スイッチ等を収容した整御匣である。
【００３０】
前記実施例を使用するには、冷却器２のスイッチを入れると共に、水槽１内へジュースなどを入れたびん・缶１０を挿入する。
【００３１】
前記において、冷却器２は冷却に専念し得ると共に、水槽１内へのびん、缶の投入量は適宜定める。前記実施例には、水槽に仕切り（通水性）がないが、水槽１内に入れてからの時間を知るような考慮が必要な場合もある。
【００３２】
前記において、冷却器２を始動させると、循環ポンプ７の始動により、水槽１内の水は循環冷却されると共に、水槽１内の水は循環により自動的に撹拌され、水温を容易に均一に保つことができる。
【００３３】
前記図２の実施例によれば、吸入パイプ８と、吐出パイプ９は共に冷却器２に付属させてあるので、水槽１へ冷却器２の掛止板３を掛止するのみで、全組立てを完了する。従って、運搬及び収納がきわめて容易になる利点がある。
【００３４】
前記図３は、水槽１と、冷却器２とを一体形とした冷却装置１１であって、冷却器２の内部（冷却部、熱交換部等）は、図２の実施例と同一である。また、冷却器２と、水槽１とを別製にした場合であっても、吸入パイプと、吐出パイプの取付け（固定）さえできれば、容易に組立ることができる。図中１３は吸入口、１４は吐出口、１５、１６は調整摘み、１７はスイッチである。
【００３５】
前記は、冷却器固定方式について説明したが、運搬時又は収納時には２部分とし、使用直前に組み立てることもできる。
【図面の簡単な説明】
【００３６】
【図１】この発明の実施例のブロック図。
【図２】（ａ）この発明の冷却器の一部を省略した斜視図、（ｂ）同じく使用状態を示す斜視図。
【図３】同じく他の実施例の斜視図。
【符号の説明】
【００３７】
１  水槽
２  冷却器
３  掛止板
４  熱交換部
５  冷却部
６  熱交換パイプ
７  循環ポンプ
８  吸水パイプ
９  吐水パイプ
【図１】
2006349264.tif 000003
【図２】
2006349264.tif 000004
【図３】
2006349264.tif 000005